(57)【要約】      （修正有）【課題】ロールベールの成形時にこぼれ落ちる被成形材料の機内での滞留の防止ができるロールベーラを提供する。【解決手段】供給される被成形材料Ａ１を圧縮して円筒状のロールベールＡを成形すると共に、排出する成形室２を少なくとも具備したロールベーラ１であって、成形室２への被成形材料Ａ１の供給動作と、ロールベールＡの成形動作と、ロールベールＡの排出動作と、を少なくとも含む一連のロールベール成形作業の動作の内、少なくともロールベール成形動作時にこぼれ落ちてロールベーラ１に滞留する被成形材料Ａ１に対して気体を噴射する噴射装置Ｃを備え、噴射装置Ｃから噴射される気体の勢いで、滞留する被成形材料Ａ１を除去するようにされている。【選択図】図１
2015033334.tif 000002
【特許請求の範囲】
【請求項１】
供給される被成形材料を圧縮して円筒状のロールベールを成形すると共に、排出する成形室を少なくとも具備したロールベーラであって、
前記成形室への前記被成形材料の供給動作と、前記ロールベールの成形動作と、前記ロールベールの排出動作と、を少なくとも含む一連の前記ロールベール成形作業の動作の内、少なくとも前記ロールベール成形動作時にこぼれ落ちて前記ロールベーラに滞留する前記被成形材料に対して気体を噴射する噴射装置を備え、
前記噴射装置から噴射される気体の勢いで、滞留する前記被成形材料を除去するようにされていることを特徴とするロールベーラ。
【請求項２】
前記成形室が、被成形材料を前記成形室内に投入する投入口が確保された固定側半部と、該固定側半部に対して開閉動するように軸支された可動側半部と、前記固定側半部の両側部を構成する側板間及び前記可動側半部の両側部を構成する側板間にわたるように軸支された複数の回転ローラと、少なくとも、前記固定側半部又は前記可動側半部のいずれか一方に配置された前記回転ローラに巻き掛けられた成形ベルトと、前記成形ベルトを巻き掛けた前記回転ローラを軸支する前記側板の一方に、前記成形ベルトの巻き掛けにより形成された該成形ベルトの内側の空間と連通するように設けられた清掃口とを備え、前記噴射装置は、前記清掃口が設けられた前記側板とで前記回転ローラを支持する他方の前記側板に、噴射方向を前記空間及び前記清掃口に向けて配置されていることを特徴とする請求項１記載のロールベーラ。
【請求項３】
前記清掃口が、前記成形ベルトを巻き掛けた下端側の前記回転ローラ、且つ前記成形ベルトの回転方向前方側の前記回転ローラの周面と、該周面に対して下方で対向する前記成形ベルトの内面とで形成される隙間を含む範囲に設けられ、前記噴射装置は、噴射方向が前記清掃口と正対すると共に、前記回転ローラの軸と平行となるように配置されていることを特徴とする請求項２記載のロールベーラ。
【発明の詳細な説明】
【技術分野】
【０００１】
本発明は、被成形物をロールベールに成形するロールベーラに関し、詳しくは、被成形材料投入時、ロールベール成形時、ロールベール排出時等においてこぼれ落ちて滞留する被成形材料を除去する機能を有するロールベーラに関する。
【背景技術】
【０００２】
ロールベーラは、成形室に供給される被成形材料を圧縮して円柱状のロールベールを成形するものが知られている。
【０００３】
下記特許文献１に記載のロールベーラは、成形室の左右両壁面間には多数の回転ローラが連続して側面視でほぼ円形となるように軸支され、回転ローラと平行な横方向の被成形材料供給用の開口部が斜め下方に開口されている。また、開口部側を固定側半部とし、排出口側を固定側半部に対して開閉動する可動側半部としており、可動側半部を開動させることによって、成形されたロールベールを排出するようになっている。
【０００４】
この成形室は、開口部の下端部を構成する回転ローラと、この回転ローラと隣接するとともに、固定側半部の下端部を構成する回転ローラとにわたって駆動ベルトが巻き掛けられ、可動側半部の全ての回転ローラを囲むように伝動ベルトが巻掛けられている。この伝動ベルトは、テンションバネにより排出方向へ付勢されたテンションプーリによって、常に張力が加わるように張設されており、成形室内において可動側半部の開口を塞ぐようにされている。この駆動ベルトと伝動ベルトの間には、補助ローラが転接するように設けられており、この補助ローラが伝動ベルトの回転を駆動ベルトに伝達するようになっている。
【０００５】
このような成形室を具備したロールベーラは、成形室に投入された被成形材料を固定側端部と可動側端部との下側の境部分で、駆動ベルト及び伝動ベルトの回転による摩擦力で回転させることによりロールベールを成形し、成形後に可動側半部を開動してロールベールを排出するようになっている。
【先行技術文献】
【特許文献】
【０００６】
【特許文献１】特開２００２−３４５３２６号公報（〔００２６〕、〔００２７〕、図１０ａ、図１０ｂ参照）
【発明の概要】
【発明が解決しようとする課題】
【０００７】
特許文献１の従来技術によると、成形室に供給した被成形材料を、駆動ベルトと常に張力が作用する伝動ベルトの摩擦により回転駆動させるようにしているので、均一な堅さのロールベールを成形することができる。
【０００８】
しかしながら、この特許文献１の従来技術では、ロールベール成形時における駆動ベルトの回転や駆動ベルトに作用するロールベールの圧力によって、成形室の左右両壁面と駆動ベルトとの隙間から被成形材料がこぼれ落ちると共に、駆動ベルトの内側に入り込んでしまうという問題があった。
【０００９】
駆動ベルトの内側に被成形材料が入り込んだ場合、駆動ベルトと回転ローラとの間に挟まったり、駆動ベルト及び回転ローラにこびりついたりすることで、駆動ベルトと回転ローラとが互いにスリップすると共に、このスリップによる駆動ベルトと回転ローラの摩耗が生じ、且つこの摩耗によって駆動ベルトと回転ローラが破損する等、ロールベーラの作動不良の要因となる。
【００１０】
また、ロールベールの成形後においても駆動ベルトの内側に被成形材料が残留し、この残留した被成形材料に、次のロールベールの成形時に駆動ベルトの内側に入り込む被成形材料が加わるため、ロールベールを成形する毎に駆動ベルトの内側に入り込む被成形材料の残留量が増えてしまい、前述のロールベーラの作動不良がより発生しやすくなるという問題があった。
【００１１】
前述のようなロールベーラの作動不良が発生しないように、駆動ベルトの内側に残留する被成形材料を除去する作業が行われている。
【００１２】
この被成形材料の除去作業は、壁面に開口された清掃口から、用具を用いて掻き出すようにしているが、左右両壁面に設置されるロールベーラの各種部材の存在によって、清掃口の大きさが制限されるため、被成形材料の掻き出し作業が難しく、相当の時間や労力がかかっている。
【００１３】
特に、駆動ベルトや回転ローラにこびりついた被成形材料を除去する作業を大きさが制限された清掃口から行うことは、極めて困難な作業であり、どうしても、相当の量の被成形材料が残留してしまい、この残留した被成形材料によって、前述のロールベーラの作動不良が発生したり、残留した被成形材料の腐敗による悪臭が発生するという問題があった。
【００１４】
本発明は、このような問題に対処することを課題の一例とするものである。すなわち、こぼれ落ちる被成形材料の機内での滞留を防止できること、被成形材料の機内での滞留を防止することで、ロールベーラの作動不良を防止できると共に、被成形材料の腐敗による悪臭の発生を防止できること、等が本発明の目的である。
【課題を解決するための手段】
【００１５】
このような目的を達成するために、本発明によるロールベーラは、以下の構成を少なくとも具備するものである。
【００１６】
供給される被成形材料を圧縮して円筒状のロールベールを成形すると共に、排出する成形室を少なくとも具備したロールベーラであって、前記成形室への前記被成形材料の供給動作と、前記ロールベールの成形動作と、前記ロールベールの排出動作と、を少なくとも含む一連の前記ロールベール成形作業の動作の内、少なくとも前記ロールベール成形動作時にこぼれ落ちて前記ロールベーラに滞留する前記被成形材料に対して気体を噴射する噴射装置を備え、前記噴射装置から噴射される気体の勢いで、滞留する前記被成形材料を除去するようにされていることを特徴とするロールベーラである。
【図面の簡単な説明】
【００１７】
【図１】本発明に係る実施形態のロールベーラの一例を示す概略構成図である。
【図２】成形室の要部拡大断面図である。
【図３】図２の（３）-（３）線断面図である。
【発明を実施するための形態】
【００１８】
本発明に係るロールベーラは、被成形材料を貯留するホッパ等からこの被成形材料を落下させ、落下させた被成形材料をコンベア等によって成形室に供給してロールベールを成形し、成形後に直接圃場等に排出するロールベーラ、このロールベーラの成形室からロールベール排出側に連続して、成形室から排出されたロールベールをラップするラップマシンを備えた複合型ロールベーラ、圃場等の被成形材料を拾い上げるピックアップ装置を備え、拾い上げた被成形材料をコンベア等によって成形室に供給してロールベールを成形し、成形後に直接圃場等に排出するロールベーラ等、各種ロールベーラに適用することができる。特に、細断された被成形材料をロールベールに成形する細断型のロールベールに適用することが好ましい。
【００１９】
本発明でいう被成形材料は、コーンや牧草等の飼料作物、食物加工後の食物残渣等の家畜用飼料に用いる各種材料、籾殻、麦殻、木屑、おがくず、敷料、家畜糞等の肥料に用いる各種材料等を含む。
【００２０】
成形室が、被成形材料を成形室内に投入する投入口が確保された固定側半部と、この固定側半部に対して開閉動するように軸支された可動側半部と、固定側半部の両側部を構成する側板間及び可動側半部の両側部を構成する側板間にわたるように軸支された複数の回転ローラと、少なくとも、固定側半部又は可動側半部のいずれか一方に配置された回転ローラに巻き掛けられた成形ベルトと、成形ベルトを巻き掛けた回転ローラを軸支する側板の一方に、成形ベルトの巻き掛けにより形成された成形ベルトの内側の空間と連通するように設けられた清掃口とを備え、噴射装置を清掃口が設けられた側板とで回転ローラを支持する他方の側板に、噴射方向を空間及び清掃口に向けて配置することが好ましい。
【００２１】
前記清掃口が、前記成形ベルトを巻き掛けた下端側の前記回転ローラであって、且つ前記成形ベルトの回転方向前方側の前記回転ローラと、該回転ローラの回転方向後方側の前記成形ベルトとの間を含む範囲に設けられ、前記噴射装置が、噴射方向が前記清掃口と正対すると共に、前記回転ローラの軸と平行となるように配置されていることが好ましい。
【００２２】
以下、本発明に係る実施形態のロールベーラ１を図面に基づいて説明する。本実施形態においては、細断型の複合型ロールベーラを例示する。尚、以下で説明する実施形態は、本発明を限定するものではない。
【００２３】
ロールベーラ１は、細断された被成形材料Ａ１を圧縮して円柱状のロールベールＡを成形する成形室２と、成形したロールベールＡをラップフィルム（図示せず）によりラップするラップマシン３と、被成形材料を貯留するホッパ４と、ホッパ４から被成形材料が供給され、この被成形材料を成形室２内に運搬する運搬コンベア５と、ロールベールＡを成形室２からラップマシン３に搬送する搬送コンベア６と、運搬コンベア５からラップマシン３にわたってこぼれ落ちる被成形材料Ａ１を運搬コンベア５側に搬送する搬送部７とを具備している。
【００２４】
成形室２は、運搬コンベア５側に区画形成された固定側半部２０と、ラップマシン３側に区画形成された可動側半部２１と、固定側半部２０と可動側半部２１とにわたって配置された成形装置２２とを備えている。
【００２５】
固定側半部２０には、運搬コンベア５から運搬される被成形材料を成形室２内に投入する投入口２３が形成されている。
【００２６】
このような成形室２は、運搬コンベア５から投入口２３を経て成形室２に投入された被成形材料Ａ１を、成形装置２２により回転させながら圧縮して円柱状のロールベールＡに成形するようになっている。
【００２７】
成形装置２２は、固定側半部２０と可動側半部２１とにわたる円周上に連続するように配列され、ロールベールＡの排出方向に対して直交する方向を軸線とする複数の回転ローラ２Ａ〜２Ｉ、回転ローラ２０Ａ〜２０Ｆと、固定側半部２０の回転ローラ２Ａ、２Ｂを囲むように、回転ローラ２０Ａ〜２０Ｃに巻掛けられた成形ベルト２００と、可動側半部２１の回転ローラ２Ｅを囲むように、回転ローラ２０Ｄ〜２０Ｆに巻掛けられた成形ベルト２０１とを備えた形態のものである。
【００２８】
回転ローラ２Ａ〜２Ｄ、２０Ａ〜２０Ｃは、固定側半部２０の両側部を構成する側板２４Ｌ、２４Ｒに軸支され、回転ローラ２Ｅ〜２Ｉ、２０Ｄ〜２０Ｆは、可動側半部２１の両側部を構成する側板２５Ｌ、２５Ｒに軸支されている。
【００２９】
回転ローラ２０Ａは、固定側半部２０の下端部を構成すると共に、成形ベルト２００を巻掛ける一端部を構成するものであり、回転ローラ２０Ｂは、投入口２３の下端部を構成すると共に、成形ベルト２００を巻掛ける一端部を構成するものである。
【００３０】
回転ローラ２０Ｃは、成形ベルト２００を巻掛ける他端部を構成するものであると共に、巻き掛けられた成形ベルト２００のテンションを保持するテンションローラであって、成形ベルト２００に囲まれた回転ローラ２Ａ、２Ｂの外側に配置されている。
【００３１】
このように配置された回転ローラ２０Ａ〜２０Ｃに巻き掛けられた成形ベルト２００の内側には、空間Ｓが形成され、この空間Ｓに配置された回転ローラ２Ａ、２Ｂは、ロールベールＡの成形中に成形ベルト２００の過変形を防止するためのものである。回転ローラ２Ｃは、投入口２３の上端部を構成するものであるとともに、ロールベールＡを成形するためのものであり、回転ローラ２Ｄは、固定側半部２０の上端部を構成するものであるとともに、ロールベールＡを成形するためのものである。
【００３２】
回転ローラ２０Ｄは、可動側半部２１の下端部を構成すると共に、成形ベルト２０１を巻掛ける一端部を構成するものであり、回転ローラ２０Ｅは、成形ベルト２０１を巻掛ける他端部を構成するものである。
【００３３】
回転ローラ２０Ｆは、成形ベルト２０１を巻掛ける他端部を構成するものであると共に、巻き掛けられた成形ベルト２０１のテンションを保持するテンションローラであって、成形ベルト２０１に囲まれた回転ローラ２Ｅの外側に配置されている。
【００３４】
このように配置された回転ローラ２０Ｄ〜２０Ｆに巻き掛けられた成形ベルト２０１の内側には、空間Ｓが形成され、この空間Ｓに配置された回転ローラ２Ｅは、ロールベールＡの成形中に成形ベルト２０１の過変形を防止するためのものである。回転ローラ２Ｆ〜２Ｉは、ロールベールＡを成形するためのものであり、回転ローラ２Ｉは、可動側半部２１の上端部を構成するものである。
【００３５】
可動側半部２１の閉鎖時においては、側板２４Ｌ、２４Ｒと側板２５Ｌ、２５Ｒの側縁同士が正対して接触するようにされており、この接触により、円筒状のロールベールＡを成形可能な成形空間２６が確保される。可動側半部２１が開動することにより、固定側半部２０が開放されて成形されたロールベールＡが排出されるようになっている。
【００３６】
回転ローラ２０Ｃ、２０Ｆは、被成形材料の投入側とロールベールＡの排出側にわたりスライド可能に軸支されていると共に、成形ベルト２００、２０１に対して常にテンションがかかるように付勢力が作用している。
【００３７】
すなわち、前述の付勢力によって、ロールベールＡの成形開始から成形終了まで、成形ベルト２００、２０１に常にテンションがかかった状態としているので、成形ベルト２００、２０１の回転による摩擦力を被成形材料Ａ１に対して平衡に、且つ効率的に作用させることができる。
【００３８】
側板２４Ｌ、２５Ｌには、成形ベルト２００、２０１の巻き掛けにより形成された空間Ｓと連通するように設けられた清掃口Ｂ１、Ｂ２が備えられている。
【００３９】
清掃口Ｂ１、Ｂ２は、空間Ｓに滞留する被成形材料Ａ１を成形室２外（機外）に排出するためのものである。
【００４０】
清掃口Ｂ１は、回転ローラ２０Ｃとこの回転ローラ２０Ｃの周面と下方で対向する成形ベルト２００の内面とで形成される隙間Ｓ１を含む範囲に開口され、清掃口Ｂ２は、回転ローラ２０Ｄとこの回転ローラ２０Ｄの周面と下方で対向する成形ベルト２０１の内面とで形成される隙間Ｓ１を含む範囲に開口されている。
【００４１】
側板２４Ｒ、２５Ｒには、隙間Ｓ１及びこの隙間Ｓ１付近に滞留する被成形材料Ａ１を、除去するための空気を噴射する噴射装置Ｃが備えられている。
【００４２】
噴射装置Ｃは、ノズルＣ１と、このノズルＣ１に対してホースＣ２を介して圧搾空気を供給するエアタンクＣ３とを備えている。
【００４３】
ノズルＣ１は、噴射方向を清掃口Ｂ１、Ｂ２に対して正対すると共に、隙間Ｓ１を通過するように、回転ローラ２０Ｃ及び回転ローラ２０Ｄの軸と平行に配置されており、隙間Ｓ１及びこの隙間Ｓ１付近に滞留する被成形材料Ａ１を、噴射する気体の勢いで除去すると共に、清掃口Ｂ１、Ｂ２から機外に排出するようになっている。
【００４４】
隙間Ｓ１及びこの隙間Ｓ１の付近は、ロールベールＡの成形時において、側板２４Ｌ、２４Ｒ、２５Ｌ、２５Ｒと駆動ベルトとの隙間からこぼれ落ち、空間Ｓに入り込む被成形材料Ａ１が、成形ベルト２００、２０１の回転方向（矢印で示す方向）によって、最も滞留する場所である。
【００４５】
したがって、前述したような噴射装置ＣのノズルＣ１の配置位置及び噴射方向によって、被成形材料が最も滞留する場所である隙間Ｓ１及びこの隙間Ｓ１の付近に滞留する被成形材料を除去することができる。
【００４６】
噴射装置Ｃの噴射動作は、ロールベールＡの成形動作中において常時行うようにすることで、連続して空間Ｓに入り込むと共に、隙間Ｓ１に至る被成形材料Ａ１を常に機外へ排出することができるため、空間Ｓでの被成形材料Ａ１の滞留、この滞留による被成形材料Ａ１の回転ローラや成形ベルトへのこびり付き、このこびり付きによる回転ローラと成形ベルトとのスリップ、このスリップによるロールベーラの作動不良、滞留する被成形材料Ａ１の腐敗による悪臭の発生、等を防止することができる。
【００４７】
噴射装置Ｃの噴射動作については、成形されたロールベールＡの排出後であって、成形室２に次のロールベールＡを成形するための被成形材料Ａ１を供給する前に、成形装置２２を成形動作（回転ローラ及び成形ベルトを回転動作）させながら行うようにしてもよい。
【００４８】
このような噴射装置Ｃの噴射動作によると、ロールベールＡの成形中に隙間Ｓ１及びこの隙間Ｓ１の付近に滞留する被成形材料Ａ１や、回転ローラ２０Ａ〜２０Ｆ及び成形ベルト２００、２０１にこびり付いた被成形材料Ａ１を除去できると共に、清掃口Ｂ１、Ｂ２から機外に排出することができる。
【００４９】
したがって、次にロールベールＡを成形するときには、成形室２内に滞留する被成形材料Ａ１や、回転ローラ及び成形ベルトにこびり付いた被成形材料Ａ１が減少しているため、被成形材料Ａ１の滞留による被成形材料Ａ１の回転ローラ２０Ａ〜２０Ｆや成形ベルト２００、２０１へのこびり付き、このこびり付きによる回転ローラ２０Ａ〜２０Ｆと成形ベルト２００、２０１とのスリップ、このスリップによるロールベーラ１の作動不良、滞留する被成形材料Ａ１の腐敗による悪臭の発生、等を防止することができる。
【００５０】
前述のような噴射装置Ｃの噴射動作を、ロールベールＡの成形作業の終了後におけるロールベーラ１の最終的な清掃時に行うことで、ロールベーラ１の収納時において滞留する被成形材料Ａ１の腐敗による悪臭の発生を防止できると共に、ロールベーラ１の次の使用時においてロールベーラ１の作動不良を防止することができる。
【００５１】
ノズルＣ１の配置位置及び噴射方向は、例示した配置位置及び噴射方向に限定するものではなく、空間Ｓ、隙間Ｓ１、隙間Ｓ１付近、等に滞留する被成形材料Ａ１、回転ローラ２０Ａ〜２０Ｆや成形ベルト２００、２０１にこびり付いた被成形材料Ａ１を、噴射する気体の勢いで除去すると共に、清掃口Ｂ１、Ｂ２から排出できる配置位置及び噴射方向であればよい。
【００５２】
ロールベーラ１は、ラップマシン３において、ロールベールＡを載置するとともに、載置したロールベールＡを回転させるコンベア状の載置台３１が、図１において反時計方向に回転して、ロールベールＡからこぼれ落ちる被成形材料を、搬送部７へ移送するようになっている。また、載置台３１の搬送部７側の端部と、搬送部７の一部を構成する受部７０の端部とにわたって、載置台３１から移送される被成形材料Ａ１を搬送部７へ案内する案内面部８が設けられている。
【００５３】
搬送部７の受部７０にこぼれ落ちた被成形材料Ａは、搬送コンベア６に設けられた搬送体６０が、搬送コンベア６の戻り側（受部７０と対面する側）において、搬送コンベアの戻り側の動作によって、運搬コンベア５方向に搬送される。
【００５４】
さらに、このロールベーラ１は、こぼれ落ちる被成形材料を運搬コンベア５に戻す戻しコンベア９が備えられている。
【００５５】
戻しコンベア９は、搬送コンベア６の搬送体６０によって搬送される受部７０上の被成形材料を受けて運搬コンベア５側に搬送するとともに、搬送される被成形材料を運搬コンベア５と協働してこの運搬コンベア５の運搬面に戻すものである。
【００５６】
案内面部８付近には、噴射装置Ｃ’が配置されており、案内面部８に滞留する被成形材料Ａ１を噴射装置Ｃ’から気体を噴射することによって除去するようにされている。
【００５７】
噴射装置Ｃ’におけるノズルＣ１の噴射方向は、案内面部８に滞留する被成形材料Ａ１を案内面部８から除去して機外に排出する方向、或いは搬送部７に載せる方向のいずれでもよい。噴射装置Ｃ’におけるホースＣ２は、エアタンクＣ３に配管されている（図１において（ａ）-（ａ）で示す）。
【００５８】
噴射装置Ｃ’が案内面部８から除去した被成形材料Ａ１を搬送部７へ載せる方向に気体を噴射するものである場合、案内面部８の被成形材料Ａ１の滞留を防止できると共に、搬送部７へ載せた被成形材料Ａ１を戻しコンベア９から運搬コンベア５を経て成形室２へ供給することができるため、案内面部８に滞留する被成形材料Ａ１を除去できると共に、被成形材料Ａ１の無駄を抑制できる。
【００５９】
被成形材料Ａ１は、運搬コンベア５による被成形材料Ａ１の運搬時及び成形室２への供給時においてこぼれ落ちることで、運搬コンベア５の内側の空間Ｓ’に入り込んで滞留することがある。そのため、運搬コンベア５の空間Ｓ’内に滞留した被成形材料Ａ１を機外に除去する噴射装置Ｃ’’を運搬コンベア５の付近に配置するとよい（図１参照）。
【００６０】
噴射装置Ｃ’’は、被成形材料Ａ１が最も滞留しやすい部位、すなわち、運搬コンベア５のベルト５１の内側とベルト５１を巻き掛けた上流側（下側）の巻掛回転部５２の周面との間付近に気体を噴射して、滞留する被成形材料Ａ１を除去して機外に排出するようにノズルＣ１を配置している。ノズルＣ１の噴射方向は、巻掛回転部５２の軸と平行にされている。
【００６１】
ノズルＣ１の配置位置及び噴射方向は、例示した位置及び方向に限らず、運搬コンベア５の空間Ｓ’に滞留する被成形材料Ａ１を除去して機外に排出できる位置及び方向であればよい。
【００６２】
被成形材料Ａ１は、運搬コンベア５による被成形材料Ａ１の運搬時及び搬送部７による被成形材料Ａ１の戻しコンベア９へ搬送時においてこぼれ落ちることで、戻しコンベア９の内側の空間Ｓ’’に入り込んで滞留することがある。そのため、戻しコンベア９の空間Ｓ’’に滞留する被成形材料Ａ１を除去して機外に排出する噴射装置Ｃ’’’を戻しコンベア９の付近に配置するとよい（図１参照）。
【００６３】
噴射装置Ｃ’’’は、被成形材料Ａ１が最も滞留しやすい部位、すなわち、戻しコンベア９のベルト９１の内側とベルト９１を巻き掛けた上流側（ラップマシン３側）の巻掛回転部９２の周面との間付近に気体を噴射して、滞留する被成形材料Ａ１を除去して機外に排出するようにノズルＣ１を配置している。ノズルＣ１の噴射方向は、巻掛回転部９２の軸と平行にされている。
【００６４】
ノズルＣ１の配置位置及び噴射方向は、例示した位置及び方向に限らず、戻しコンベア９の空間Ｓ’’に滞留する被成形材料Ａ１を除去して機外に排出できる位置及び方向であればよい。
【００６５】
このような噴射装置Ｃ’’、Ｃ’’’によって、運搬コンベア５の空間Ｓ’、戻しコンベア９の空間Ｓ’’に滞留する被成形材料Ａ１を除去して機外に排出することができる。
【００６６】
本発明は、例示した形態のロールベーラ１以外にも、例えば、特開２００６‐０６１０４３号公報や特開２００２−３４５３２６号公報に記載のロールベーラ、ラップマシンを備えないロールベーラ等、回転ローラと成形ベルトを組み合わせた成形室を備えることができる各種ロールベーラに適用することができる。
【符号の説明】
【００６７】
１：ロールベーラ
Ａ：ロールベール
Ａ１：被成形材料
２：成形室
２０：固定側半部
２１：可動側半部
２２：成形装置
２Ａ〜２Ｉ：回転ローラ
２０Ａ〜２０Ｆ：回転ローラ
２００：成形ベルト
２０１：成形ベルト
２４Ｌ：側板
２４Ｒ：側板
２５Ｌ：側板
２５Ｒ：側板
Ｓ：空間
Ｓ’：空間
Ｓ’’：空間
Ｓ１：隙間
Ｂ１：清掃口
Ｂ２：清掃口
Ｃ：噴射装置
Ｃ’：噴射装置
Ｃ’’：噴射装置
Ｃ’’’：噴射装置
【図１】
2015033334.tif 000003
【図２】
2015033334.tif 000004
【図３】
2015033334.tif 000005